(57)【要約】【課題】逆止弁の開閉ストロークを確保しながら、よりコンパクトなポンプを提供すること。【解決手段】ポンプランナー上側の気水分離室のスペースに逆止弁を設け、逆止弁の開閉ストロークを確保できるように仕切り板の逆止弁側に開閉ストローク確保用袋形状部を設けた。また、モータの電気的接続端子方向もモータ軸に対し垂直方向にすると共に呼び水口、吐出口も同様にモータ軸に対し垂直方向に設けた。【選択図】  図１
2004263653.tif 000002
【特許請求の範囲】
【請求項１】
揚水用吸水ホースが接続される吸水ホース接続用吸水口と自吸用の呼び水を給水するための呼び水口と、吸込んだ水を吐出すための吐出口を有するポンプケースと、モータを収納すると共にモータ軸に直結させるポンプランナーの軸部を封止させる軸封部材の軸封部材装着部を有するモータケースと、それらのケースの内部に前記ポンプランナーを設けるとともにポンプランナー室・気水分離室と吸込み室とを仕切る仕切り板及び、揚水した水の逆流を防止する逆止弁等を備える自吸式ポンプにおいて、
前記逆止弁はポンプランナーの吸い込み口と吸込み室との境界部位を外周方向に延在した延長線近傍で、かつポンプランナー室の外周上方側に配置したことを特徴とする自吸式ポンプ。
【請求項２】
請求項１に記載の自吸式ポンプにおいて、
ポンプケースの吸水ホース接続用吸水口から縦に下る吸い込み水通路部の通路断面を楕円形状に形成し、かつ楕円の長径方向がほぼ水平に置かれるモータ軸の軸線方向に対して交差するように設け、前記吸い込み水通路部に連通するポンプケースの逆止弁封止部吐出口も長径方向がほぼ水平になるように横長の楕円形状とするとともに、この逆止弁封止部吐出口を封止するための逆止弁も逆止弁封止部吐出口に合わせて横長の楕円形状としたことを特徴とする自吸式ポンプ。
【請求項３】
揚水用吸水ホースを接続させるための吸水口と自吸用の呼び水を給水するための呼び水口と、吸込んだ水を吐出すための吐出口を有するポンプケースと、モータを収納すると共にモータ軸に直結させるポンプランナーの軸部を封止させる軸封部材の軸封部材装着部を有するモータケースと、それらのケースの内部に前記ポンプランナーを設けるとともにポンプランナー室・気水分離室と吸込み室とを仕切る仕切り板及び、揚水した水の逆流を防止する逆止弁等を備える自吸式ポンプにおいて、
前記仕切り板には、前記逆止弁の開閉ストロークが確保できるように逆止弁を収納する開閉ストローク確保用袋形状部を設け、この開閉ストローク確保用袋形状部を前記モータケース側の気水分離室に向けて突き出すように形成したことを特徴とする自吸式ポンプ。
【請求項４】
揚水用吸水ホースを接続させるための吸水口と自吸用の呼び水を給水するための呼び水口と、吸込んだ水を吐出すための吐出口を有するポンプケースと、モータを収納すると共にモータ軸に直結させるポンプランナーの軸部を封止させる軸封部材の軸封部材装着部を有するモータケースと、それらのケースの内部に前記ポンプランナーを設けるとともにポンプランナー室・気水分離室と吸込み室とを仕切る仕切り板及び、揚水した水の逆流を防止する逆止弁等を備える自吸式ポンプにおいて、
前記モータのモータ軸は呼び水等の流体水面と平行となるように配置し、
モータの電気的接続部はモータ軸に対し垂直方向の向きしたことを特徴とする自吸式ポンプ。
【請求項５】
揚水用吸水ホースを接続させるための吸水口と自吸用の呼び水を給水するための呼び水口と、吸込んだ水を吐出すための吐出口を有するポンプケースと、モータを収納すると共にモータ軸に直結させるポンプランナーの軸部を封止させる軸封部材の軸封部材装着部を有するモータケースと、それらのケースの内部に前記ポンプランナーを設けるとともにポンプランナー室・気水分離室と吸込み室とを仕切る仕切り板及び、揚水した水の逆流を防止する逆止弁等を備える自吸式ポンプにおいて、
前記モータのモータ軸は呼び水等の流体水面と平行となるように配置し、
前記吐出口または前記呼び水口はポンプケース上部の側面に形成したことを特徴とする自吸式ポンプ。
【発明の詳細な説明】
【０００１】
【発明の属する技術分野】
本発明は、洗濯用として浴槽等からの水を洗濯槽に吸い揚げる自吸式ポンプの構造に関するものである。
【０００２】
【従来の技術】
家庭用全自動洗濯機及び洗濯乾燥機等では、現在主に節水を目的として浴槽の残り湯を洗濯に供するための自吸式ポンプが搭載されており、例えば特開２０００−２９１５８１号公報（特許文献１）や特開２０００−２７９６９４号公報（特許文献２）等が挙げることができる。
【０００３】
前記特開２０００−２９１５８１号公報（特許文献１）に記載された自吸式ポンプでは、吸水ホースを接続させるための吸水口から吸い込んだ水の通路は円筒形状であり、ポンプランナーの前面に逆止弁が設けられており、ポンプケースの逆止弁での封止部の形状は円形状となっていると共にその逆止弁の封止面も円形状になっている。また、モータの電気的接続端子部においてはモータ軸に対し平行に出され、ポンプケース上部に設けられた吐出口および呼び水口もモータ軸に対し平行方向に設けられていることが開示されている。
【０００４】
また、特開２０００−２７９６９４号公報（特許文献２）に記載された自吸式ポンプにおいても、吸水ホースを接続させるための吸水口から吸い込んだ水の通路は円筒形状であり、この水通路と連通する吐出口には逆止弁を装着するための別部品が設けられているが、逆止弁で封止する開口部は円形をしていると共に、逆止弁の封止面も円形状である。また、この逆止弁はモータに直結されたポンプランナーの位置に対しては前面横隣の下側に位置している。また、モータ軸は内部の流体に対し垂直に位置しモータの電気的接続端子はポンプ上部で斜め方向に出されていることが開示されている。
【０００５】
さらに特開昭６０−４５７９０号公報（特許文献３）記載された自吸式ポンプは、吸い込み側になるケーシングカバーの吸い込み口に逆止弁を有し、この逆止弁をポンプランナーの外周上端よりも上部に設けた構成を備えている。
【０００６】
【特許文献１】
特開２０００−２９１５８１号公報
【特許文献２】
特開２０００−２７９６９４号公報
【特許文献３】
特開昭６０−４５７９０号公報
【０００７】
【発明が解決しようとする課題】
全自動洗濯機や洗濯乾燥機等に浴槽等の残り湯を給水するための自吸式ポンプを搭載する場合、その搭載個所は殆どが洗濯機のトップカバー内であるが、近年の洗濯機では様々な付加機能を有する装置がこのトップカバー内に搭載されており、当該ポンプにおいては極僅かな限られたスペースでも搭載できるよう、よりコンパクトな自吸式ポンプが要求されてきている。
【０００８】
また、この様な自吸式ポンプは現在では洗濯容量が６ｋｇ以上の大型の機種にのみ搭載されているが、現在の高齢者の少家族世帯では洗濯容量が４ｋｇや５ｋｇ程度の小さい容量の洗濯機のニーズも高まっており、特に節水に対する意識の高い世代の人達が使用する小容量の洗濯機にもこの様な風呂の残り湯を無駄なく使用できる自吸式ポンプが搭載されていることが望ましいわけであるが、小型の洗濯機の場合は当然ながら製品自体が小さいため現状サイズの自吸式ポンプでは搭載スペースが確保できないのが現状である。
【０００９】
従来技術の自吸式ポンプの構造では、気水分離による自吸完了後の揚水性能をより良くするため逆止弁をポンプランナーの手前に設けている。これはより管路抵抗をより少なくすることが目的であるが、このため逆止弁の開閉ストロークを確保しようとすると最低でもそのストローク分のスペースは必要になり、実際にはポンプケース側のポンプランナーの前面にそのスペースを設けているため、特にポンプとしての長さ方向がそのストローク分長くなってしまうという結果になっていた。また、モータの電気的接続端子もモータ後部（反ポンプ側）にモータ軸と平行に出されているが、通常は接続部の信頼性・安全性及び洗濯機または洗濯乾燥機の結線作業性の面からこの結線部には殆どが樹脂製のハウジング付きコネクターを採用しており、搭載スペースとしてはモータの接続端子に樹脂製のハウジング付きコネクターを加えた分のスペースが必要になっていた。
【００１０】
また、特開２０００−２７９６４９４公報（特許文献２）に記載の自吸式ポンプの場合は、縦軸型ポンプであるため、吸込み水通路が気水分離室内を貫く構造となり、逆止弁はポンプランナーの下側かまたは横側に設けられるためポンプの高さ方向を高くとる必要があった。
【００１１】
本発明は、この様な従来技術による現状を鑑みてなされたもので、その目的は小さなスペースでも搭載可能となる、よりコンパクトな自吸式ポンプを提供することにある。
【００１２】
【課題を解決するための手段】
本発明は、吸水ホース接続用吸水口と自吸用の呼び水を給水するための呼び水口と、吸込んだ水を吐出すための吐出口を有するポンプケースと、モータを収納すると共にモータ軸に直結させるポンプランナーの軸部を封止させる軸封部材の装着部を有するモータケースと、それらのケースの内部に前記ポンプランナーを設けるとともにポンプランナー室・気水分離室と吸込み室とを仕切る仕切り板及び、揚水した水の逆流を防止する逆止弁等を備える自吸式ポンプにおいて、前記逆止弁をポンプランナーの吸い込み口と吸込み室との境界部位を外周方向に延在した延長線近傍で、かつポンプランナー室の外周上方側に配置したことを特徴とする。
【００１３】
このような逆止弁の配置により、長さ方向寸法で従来ポンプに比べ大幅に短くできるため、ポンプの収納スペースが僅かで済み、洗濯機としての付加機能を有する装置と併せて搭載することが可能になる。
【００１４】
また本発明では、ポンプケースの吸水ホース接続部からの通水管形状において一定の通水面積を確保した横長の楕円形状とし、これと連通する逆止弁当接吐出口も横長の楕円形状にするとともに逆止弁の封止部も横長の楕円形状とし、ポンプランナーの羽根の上端面よりも上側に配置しポンプランナー室とを仕切る仕切り板の逆止弁側は逆止弁の開閉ストロークが確保できるようポンプランナー側水通路上端と同一深さまで深くして開閉ストローク確保用袋形状部を設けたことで従来の自吸式ポンプのポンプランナーの手前に一定の開閉ストロークを確保した状態で逆止弁を設ける構造よりもポンプの長さを短くすることが可能となる。
【００１５】
さらに、モータの電気的接続用端子方向においても、モータ軸に対し垂直方向に出すことで従来の設置スペースよりも少ないスペースに収納可能となる。
【００１６】
さらにまた、自吸用の呼び水を給水するための呼び水口または揚水した水をポンプ外に吐出させる吐出口またはその両方をモータ軸に対しケース上部の垂直方向に設けることで、更に設置するのに必要なスペースは少なくなる。特にケースの吐出口方向においては給水を目的とする受水槽の取付けの関係で決定されるが、受水槽までは通常ホースで接続されており吐出口がモータ軸に対し垂直方向に出されていれば、受水槽を側面に本ポンプを設置することも可能となり、設置するのに必要なスペースをより少なくすることも可能になる。
【００１７】
【発明の実施の形態】
以下、本発明の一実施例を図面を基に説明する。
【００１８】
図１は本発明による自吸式ポンプ２２の断面図であり、図２は本発明の自吸式ポンプ２２の分解図である。
【００１９】
モータケース５には、モータ６が収納されるとともに、モータ軸１０に直結されるポンプランナー１１と、ポンプランナーの軸部を封止させる軸封部材９と、軸封部材９の軸封部材装着部１３が設けてある。
【００２０】
軸封部材９はモータケース５の軸封部材装着部１３に圧入で装着し、モータ６をモータケース５に所定の位置まで挿入後先端に空転防止と圧入時の空気抜き用としてローレット加工又はステーキング加工が施されたモータ軸１０にポンプランナー１１を所定の深さまで圧入し、ポンプランナー１１の軸は軸封部材９で封止される構造となっている。また、モータキャップ３０をモータケース５に装着することでモータケース５に装着され、モータ軸１０の先端にポンプランナー１１が圧入されたモータ６の軸方向のがたつきを押さえている。このモータキャップ３０をモータケース５に装着する際はポンプ運転時の振動を吸収するため、またモータ内への水の浸入を防止するために弾性部材４１を介してモータケース５に装着することも可能である。
【００２１】
ポンプケース１には浴槽等の水源からの揚水用吸水ホース１４を接続するための吸水ホース接続用吸水口２と吸い込んだ水がポンプ停止時、水源に逆流しないように設けた逆止弁１２と、前記吸込口と逆止弁までを連通する横長の楕円形状の吸込み水通路部１７、及び図３の本発明による自吸式ポンプの平面図に示すように自吸用の呼び水を給水するための呼び水口１５、吸い込んだ水を吐出するための吐出口１６が備わる。これに加え、前記逆止弁１２を押さえて固定するための逆止弁固定用リブ３１及び逆止弁１２の開閉ストロークを確保するために形成された開閉ストローク確保用袋形状部８を有し、ポンプ室１８及びモータケース５とポンプケース１を螺着または溶着等で形成される気水分離室１９と、吸込み室２０を分離する仕切り板３が装着される仕切り板装着部３２には、前記ポンプ室１８及び気水分離室１９と吸込み室を２０より確実に封止し分離するための弾性を有する封止部材２８の装着用凹溝部３３を有し、この凹溝部に弾性を有する封止部材２８が装着されている。
【００２２】
この仕切り板３がポンプケース１に組み込まれた状態にあっては、仕切り板３の中心より下側に設けたベルマウス形状の開口部２４の中心がポンプランナー１１の中心に位置するようになっている。また、この仕切り板３の開口部２４の吸込口面積Ｄ２はポンプランナー１１の吸込み口３９の面積とほぼ同一面積であり、この各々の面積がポンプ揚水時の流量特性を左右している。
【００２３】
また、図６に示す、このモータケース５とポンプケース１はポンプケースに装着された仕切り板３のランナー側水通路先端部４２が図７に示すようにモータケース５の仕切り板当接面に設けた仕切り板嵌合用凹溝部３４に挿入され、各ケース間を封止する弾性を有する封止部材２７を介して複数本の螺子２９で螺着されるため、ポンプケース１に装着された封止部材２８は仕切り板３を介してモータケース５とポンプケース１で挟みこまれ押し付けられることで封止効果が得られるように構成されている。
【００２４】
この仕切り板３のランナー側水通路先端部４２と逆止弁１２の開閉ストロークを確保した開閉ストローク確保用袋形状部８の高さは図１０の仕切り板単品図に示すように同一高さである。螺子２９でお互いのケースを締付けた際はモータケース５に設けている仕切り板嵌合用凹溝部３４の溝全面と面合わせになった位置で仕切り板３は装着されるため、仕切り板３のランナー側水通路先端部４２及び逆止弁１２の開閉ストローク確保用袋形状部８の端面と、モータケース５の仕切り板嵌合用凹溝部３４は図７のポンプ内部の部分詳細図に示す通り隙間無く固着される。
【００２５】
なお、仕切り板３とポンプケースの仕切り板装着部３２及び仕切り板のポンプランナー側水通路先端部４２とモータケースの仕切り板嵌合用凹溝部３４に隙間があった場合は、ポンプ室１８より気水分離室１９に吐出された空気や水が各々の隙間から再び吸込み室２０やポンプ室１８に戻るという動作を繰り返すため揚水用吸水ホース１４内の空気を排気するのに時間が掛かるか又は排気が出来なくなり、自吸性能に悪影響を及ぼすことになる。
【００２６】
図５、図６は自吸式ポンプ２２の動作（自吸及び揚水）説明図である。自吸式ポンプ２２の内部には呼び水口１５より呼び水４が導かれる。自吸式ポンプ２２のポンプケース１の吸水ホース接続用吸水口２には、浴槽等の水源から揚水するための揚水用吸水ホース１４が接続されている。ポンプ運転開始時、揚水用吸水ホース１４が連通する水源からポンプまでの空気を排気させるため、呼び水４で充満されたポンプの内部ではモータ６に直結されたポンプランナー１１が高速で回転するため吸込み室２０からポンプランナー１１の中心部は負圧となる。
【００２７】
この負圧に引かれて揚水用吸水ホース１４内の空気はポンプランナー１１側に吸い込まれ、ポンプ内の呼び水１５と一緒にポンプ室１８より仕切り板３のポンプランナー側水通路部２５を高速で通過し、モータケース５とポンプケース１より形成された気水分離室１９へと導かれる。仕切り板のポンプランナー側水通路部２５という狭い空間を高速で通過したその水は広い空間の気水分離室１９に導かれた際、その容積（水通路面積）に比例して流速が低下し、更に気水分離室１９を形成するポンプケース１に複数個設けられた気水分離板３５にぶつかることで更に流速が低下させられる。呼び水４の中に取り込まれて混入した前記吸水ホース内の空気は水から分離され、呼び水口１５及び吐出口１６より空気だけが排気される。
【００２８】
なお、この水から空気を分離する気水分離の作用は、吸水ホース内の空気が完全に排気されるまで行われ、空気の排気完了後に呼び水口１５及び吐出口１６からポンプで揚水した水が吐出され、所定の揚水量が確保できる揚水ポンプとして機能するわけである。
【００２９】
ポンプケース１の吸水ホース接続用吸水口２に連通する吸込み水通路部１７は横長の楕円形状であり、図８に示すようにその水通路から吸込み室２０に吐出される逆止弁１２で封止させる逆止弁封止部吐出口２１も横長の楕円形状とし、この横長の楕円形状の逆止弁封止部吐出口２１には逆止弁１２が配置されており、この逆止弁１２は自吸時及び給水時は図１１に示すようにθ１度の開閉角度で開き、ポンプ停止時は閉じる構造となっている。
【００３０】
この逆止弁１２は気水分離室１９に張り出した仕切り板３に囲まれた形でポンプランナー１１の羽根部上端よりもＬ４寸法（１ｍｍ以上）高い位置に設けられ、その形状は図９に示す通り横長の楕円形状であり、封止面３６の上部には図８に示すポンプケース１の逆止弁装着凹溝部３７に装着できるようポンプケース装着用凸部３８を形成している。このポンプケース装着用凸部３８をポンプケース１の逆止弁装着凹溝部３７に装着し、開閉動作を繰り返しても位置がずれないよう仕切り板３の逆止弁固定用リブ３１で押し付けて固定している。この逆止弁１２とポンプケース１の逆止弁で封止させる吐出口２１及びこの封止部に連通する吸水ホース接続口２からの吸込み水通路部１７も横長楕円形状であるため図１３で示す従来の自吸式ポンプ２３（全長Ｌ）よりＬ３寸法（５ｍｍ以上）分短くすることが可能となる。
【００３１】
上述した自吸式ポンプの全長を短かくすることができた理由について、さらに説明を加える。
【００３２】
この自吸式ポンプは、揚水用吸水ホース１４を接続させるための吸水ホース接続用吸水口２と自吸用の呼び水を給水するための呼び水口１５と、吸込んだ水を吐出すための吐出口１６を有するポンプケース１と、モータ６を収納すると共にモータ軸１０に直結させるポンプランナー１１の軸部を封止させる軸封部材９の装着部１３を有するモータケース５と、その内部に前記ポンプランナー１１を有すると共にポンプランナー室・気水分離室１９と吸込み室２０とを仕切る仕切り板３及び、揚水した水の逆流を防止する逆止弁１２等を備えた構成を有している。
【００３３】
そして、その逆止弁１２をポンプランナー１１の吸い込み口３９と吸込み室２０との境界部位を外周方向に延在した延長線近傍で、かつポンプランナー室の外周上方側に配置することで、これまで吸込み室２０がポンプランナー１１の吸い込み口３９の前方に大きく突き出ていた構造を一挙に縮小でき、自吸式ポンプの全長が短縮化されたのである。
【００３４】
なお、逆止弁１２を前記境界部分の延長線近傍よりもモータ６側に寄せてポンプランナー１の上側にラップするように配置することで、自吸式ポンプの全長をを更に短縮化することができる。但し、このような配置の構成にすると、逆止弁封止部吐出口２１から突出して吸込み室２０に流れ込む水の流が大きく曲がる不具合がある。
【００３５】
また吸水ホース接続用吸水口２がポンプケースの上側に縦向きに形成されている。この吸水ホース接続用吸水口２の下流側に連通し、かつ縦に下る吸い込み水通路部１７は、通路断面が楕円形状に形成され、しかも楕円の長径が水平に置かれるモータ軸１０の軸線方向に対して交差するように設けられているので、前述したようにＬ３の寸法を短くできたのである。
【００３６】
吸い込み水通路部１７がＬ３の寸法分短縮できるので、自吸式ポンプの収納が楽になる。この自吸式ポンプは、洗濯機のトップカバーに収納される。トップカバーの収納部は狭いので長さを縮小することは、殊のほか有効である。
【００３７】
逆止弁封止部吐出口２１は、吸い込み水通路部１７の下流側に連通するように設けられ、かつ吸い込み水通路部１７に対してほぼ直角に曲がるよう配置される。言い換えると、逆止弁封止部吐出口２１は横向に配置されているのである。
【００３８】
逆止弁封止部吐出口２１は通路断面が吸い込み水通路部１７と同様に楕円形状に形成されている。
【００３９】
逆止弁封止部吐出口２１は、楕円の長径方向が横向き（水平方向）になるように配置される。逆止弁封止部吐出口２１の先端側に回動自在に備わる逆止弁１２は、逆止弁封止部吐出口２１の先端面に接離する。逆止弁１２が接することで逆止弁封止部吐出口２１は閉じられ、離れることで逆止弁封止部吐出口２１は開かれる。
【００４０】
逆止弁１２は、上部に設けられているポンプケース装着用凸部３８を逆止弁封止部吐出口２１の先端上部に取り付けて開閉自在に支持されている。逆止弁１２が開かれて行くにしたがい、逆止弁１２の下端が持ち上がるように回動して行く。逆止弁１２の開閉に伴う回動は、前記モータケース側の気水分離室に向けて突き出すように形成された開閉ストローク確保用袋形状部８の内部で行なわれる。
逆止弁１２は、前述したように楕円の長径方向が横向きになるような形状にしているので、楕円の長径方向を縦向きにしているものに比べ、回動する際の半径が小さく、それだけ開閉ストローク確保用袋形状部８の大きさを小さくすることができ、その分だけ気水分離室１９の体積が増えるので気水分離効果が向上する。
【００４１】
尚、この吸い込み水通路部１７の吸込口通水面積Ｄ１は吸込み側水通路の最小面積となる仕切り板の開口部２４の吸込口面積Ｄ２よりも大きくしているため吐出流量には著しい流量低下等の影響は与えない。また仕切り板３の側をポンプランナー側水通路部２５の上端と同一深さの開閉ストローク確保用袋形状部８にすることで逆止弁の開閉ストロークを確保し、その開閉ストロークの開閉角度θ１は図１２に示す従来の自吸式ポンプ２３の逆止弁２６の開閉ストロークの開閉角度θ２と同等以上を確保しているため吐出流量に著しい影響を及ぼすことはない。
【００４２】
図３で示す自吸用の呼び水を給水するための呼び水口１５と外部に給水するための吐出口１６は、図１に示すようにポンプ内の呼び水４の水面と平行なモータ軸１０に対し平行であるが、図４に示すようにモータ軸１０に対し１５ａ，１６ａまたは１５ｂ，１６ｂのようにポンプケース１の上部に直角方向に設けても良い。
【００４３】
これは、ポンプから送水された水を受ける受水槽等とポンプの配置で自由に決定できる。また、モータの電気的接続端子７の方向もモータ軸１０に対し７ａのように平行に出してもよいが、７ｂ，７ｃのように垂直方向に出すことも可能である。
【００４４】
尚、このモータの電気的接続端子７を７ａのようにモータ軸１０に対し平行に出した場合、通常この接続部の信頼性・安全性及び洗濯機または洗濯乾燥機の結線作業性の面から樹脂製のハウジング付きコネクター４０で結線されるため、少なくともＬ５寸法分のスペースがモータの電気的接続端子７側には必要になってしまう。このため、図４に示すモータ軸１０に対し、７ｂまたは７ｃの方向に出すことが好ましい訳であるが、いずれにしても搭載するトップカバー内でのスペースや他の電気部品等のレイアウト上より有利な設置方法より決定すれば良いわけである。
【００４５】
上述した本発明の自吸式ポンプ２２によると、図１２及び図１３に示すようにモータの電気的接続端子７をモータ軸１０に垂直に出すことで、Ｌ１−Ｌ２の寸法分（５ｍｍ以上）ポンプの長さを短くすることが可能となる。また、逆止弁１２をポンプランナー１１の羽根上端よりもＬ４（１ｍｍ以上）上側に設けることでＬ３寸法（５ｍｍ以上）分短くすることができ、モータの電気的接続端子７がモータ軸１０に対し、平行に出されている場合であってもＬ３寸法（５ｍｍ以上）分ポンプの全長が短くなるため、よりコンパクトな自吸式ポンプを提供することが可能となる。
【００４６】
【発明の効果】
本発明によれば、長さ方向寸法で従来ポンプに比べ大幅に短くできるため、洗濯機等の狭いスぺースに据え付けるのに好適である。
【図面の簡単な説明】
【図１】本発明の実施例に係るもので、自吸式ポンプの構造を示す断面図。
【図２】本発明の実施例に係るもので、自吸式ポンプの構造を示す展開断面図（分解図）。
【図３】本発明の実施例に係るもので、自吸式ポンプの平面図。
【図４】本発明の実施例に係るもので、自吸式ポンプで、電気的接続端子及び呼び水口・吐出口がモータ軸に対し平行ないし垂直に設けられていることを示す平面図。
【図５】本発明の実施例に係るもので、ポンプの自吸時におけるポンプ内の流体の流れを示す図。
【図６】本発明の実施例に係るもので、ポンプの自吸時におけるポンプ内の流体の流れを示す図。
【図７】本発明の実施例に係るもので、ポンプ内部の部分拡大断面図。
【図８】本発明の実施例に係るもので、ポンプケースの詳細図。
【図９】本発明の実施例に係るもので、逆止弁の詳細図。
【図１０】本発明の実施例に係るもので、仕切り板の詳細図。
【図１１】本発明の実施例に係るもので、自吸式ポンプで逆止弁の開閉ストロークを及び逆止弁のポンプランナーに対する位置示す断面図。
【図１２】従来例に係る自吸式ポンプの平面図及び断面図。
【図１３】従来例の自吸式ポンプと本発明の自吸式ポンプを比べた概略寸法比較図。
【符号の説明】
１…ポンプケース、２…吸水ホース接続用吸水口、３…仕切り板、４…呼び水、５…モータケース、６…モータ、７…モータの電気的接続端子、７ａ…モータ端子の方向（モータ軸に平行）、７ｂ・７ｃ…モータ端子の方向（モータ軸に垂直）、８…仕切り板の逆止弁開閉ストローク確保用袋形状部、９…軸封部材、１０…モータ軸、１１…ポンプランナー、１２…逆止弁、１３…モータケースの軸封部材装着部、１４…揚水用吸水ホース、１５…呼び水口（モータ軸に平行）、１５ａ・１５ｂ…呼び水口（モータ軸に垂直）、１６…吐出口（モータ軸に平行）、１６ａ・１６ｂ…吐出口（モータ軸に垂直）、１７…ポンプケースの吸込み水通路部、１８…ポンプ室、１９…気水分離室、２０…吸込み室、２１…ポンプケースの逆止弁封止部吐出口、２２…本発明の自吸式ポンプ、２３…従来の自吸式ポンプ、２４…仕切り板の開口部、２５…仕切り板のポンプランナー側水通路部、２６…従来の自吸式ポンプの逆止弁、２７…ポンプケースとモータケース固着時の封止部材、２８…ポンプ室・気水分離室・吸込み室を分離する弾性を有する封止部材、２９…ねじ、３０…モータキャップ、３１…仕切り板の逆止弁固定用リブ、３２…ポンプケースの仕切り板装着部、３３…ポンプケースと仕切り板間の封止部材装着用凹部、３４…モータケースの仕切り板嵌合用凹溝部、３５…気水分離板、３６…逆止弁の封止面、３７…ポンプケースの逆止弁装着凹溝部、３８…逆止弁のポンプケース装着用凸部、３９…ポンプランナーの吸込み口、４０…モータの電気的接続端子結線用ハウジング付きコネクター、４１…モータを押さえる弾性部材、４２…仕切り板のランナー側水通路先端部、Ｌ…従来のポンプの長さ、Ｌ１…従来のポンプと本発明のポンプ最大長さの差、Ｌ２…従来のポンプと本発明のポンプのモータ端子を含まない場合の長さの差、Ｌ３…従来のポンプと本発明ポンプの前側の寸法差、Ｌ４…ポンプランナーの羽根上端部から逆止弁までの寸法、Ｌ５ハウジング付きコネクター結線時の必要寸法、θ１…本発明のポンプ逆止弁の開閉角度、θ２…従来のポンプの逆止弁の開閉角度、Ｄ１…本発明ポンプの吸水口通水面積、Ｄ２…仕切り板の吸込口面積。
【図１】
2004263653.tif 000003
【図２】
2004263653.tif 000004
【図３】
2004263653.tif 000005
【図４】
2004263653.tif 000006
【図５】
2004263653.tif 000007
【図６】
2004263653.tif 000008
【図７】
2004263653.tif 000009
【図８】
2004263653.tif 000010
【図９】
2004263653.tif 000011
【図１０】
2004263653.tif 000012
【図１１】
2004263653.tif 000013
【図１２】
2004263653.tif 000014
【図１３】
2004263653.tif 000015